(57)【要約】【課題】構造が簡単であり、気泡シートを簡単、正確且つ安全に切断することができるとともに、気泡シートロール体を容易に詰め替えることができるため、経済的である気泡シート収納容器を提供する。【解決手段】容器１０は、気泡シートロール体３０を出し入れするための開閉可能な蓋体２と、気泡シート２０を外部に引き出すための開口部とを備えており、開口部の上下にそれぞれ、容器１０の外側方向へ開口しているベロ部４（開口部の上部７側）と、容器１０内側に固定されたベロ部６（開口部の下部８側）とが形成されている。【選択図】  図２
2005001707.tif 000002
【特許請求の範囲】
【請求項１】
所定の間隔で予めミシン目が入った、または手切れ性に優れ任意の位置でカットできるロール状に巻き取られた気泡シートロール体を収納する気泡シート収納容器であって、
前記容器が、気泡シートロール体を出し入れするための開閉可能な蓋体と、気泡シートを外部に引き出すための開口部とを備えており、前記開口部の上下にそれぞれ、（１）容器の外側方向へ開口しているベロ部と、（２）容器の内側に固定されたベロ部と、が形成されていることを特徴とする気泡シート収納容器。
【請求項２】
前記（２）容器の内側に固定されたベロ部に、気泡シートの巻き戻りを防止するために粘着剤が塗布されている請求項１に記載の気泡シート収納容器。
【請求項３】
前記（２）容器の内側に固定されたベロ部が、容器内部で気泡シートを保持している請求項１又は２に記載の気泡シート収納容器。
【請求項４】
前記（１）容器の外側方向へ開口しているベロ部の長さａ、（２）容器の内側に固定されたベロ部の長さｂ、開口部の高さ方向の長さＷ、前記気泡シートロール体の直径Ｄ、気泡シートの凸部の厚みＴとが、Ｗ＜ａ＜０．５Ｄ、Ｗ＜ｂ及び２ｔ＜Ｗ＜３ｔの条件を満足する請求項１〜３のいずれか１項に記載の気泡シート収納容器。
【発明の詳細な説明】
【０００１】
【発明の属する技術分野】
本発明は、所定の間隔で予めミシン目が入った、または手切れ性に優れ任意の位置でカットできるロール状に巻き取られた気泡シートロール体を収納する気泡シート収納容器に関する。
【０００２】
【従来の技術】
プラスチックフィルムに多数の凸部を設けたキャップフィルムと、平坦なバックフィルムとを貼り合わせ、凸部に空気を封入してなるプラスチック気泡シートが、その緩衝能力を利用して、包装材料として広く使用されている。
【０００３】
使用の形態には、気泡シートを特定の形状・寸法に裁断したものを缶や段ボール箱に入れるような使い方のほか、包装紙のように被包装物を包む使い方も少なくない。
後者の使用形態において、製造業者から需要者に納入されるプラスチック気泡シートは、多くは長尺の気泡シートを巻物状にしたものである。
需要者は、被包装物の寸法に応じて、この巻物から適宜の大きさの気泡シートを切り出し、立方体、直方体、円柱そのほか被包装物の形状に従って、それを包む作業を行う。
【０００４】
このような気泡シートの使用形態は、巻物を展開して切断するという作業を必要とする。
この切断はカッターナイフなどを使用して行うが、危険を伴う上に、切断線が曲ったりして、なかなか快適には行えないものである。
【０００５】
上記の問題点を解消するため、例えば、ロール状に巻き取られた気泡シートを収納容器に収納し、前記収納容器自体に裁断装置を付けることが多種提案されている。
しかしながら、上記のような裁断装置付収納容器は、裁断装置が気泡シート自身を傷つけたり、誤ってカットしたり、使用中に手や指を傷つけることがあった。
【０００６】
【発明が解決しようとする課題】
本発明は、このような従来技術の有する課題に鑑みてなされたものであり、その目的とするところは、構造が簡単であり、気泡シートを簡単、正確且つ安全に切断することができるとともに、気泡シートロール体を容易に詰め替えることができるため、経済的である気泡シート収納容器を提供することにある。
【０００７】
【課題を解決するための手段】
すなわち、本発明によれば、所定の間隔で予めミシン目が入った、または手切れ性に優れ任意の位置でカットできるロール状に巻き取られた気泡シートロール体を収納する気泡シート収納容器であって、前記気泡シート収納容器が、気泡シートロール体を出し入れするための開閉可能な蓋体と、気泡シートを外部に引き出すための開口部とを備えており、前記開口部の上下にそれぞれ、（１）容器の外側方向へ開口しているベロ部と、（２）容器の内側に固定されたベロ部と、が形成されていることを特徴とする気泡シート収納容器が提供される。
【０００８】
このとき、本発明では、（２）容器の内側に固定されたベロ部に、気泡シートの巻き戻りを防止するために粘着剤が塗布されていることが好ましい。
【０００９】
また、本発明では、（２）容器の内側に固定されたベロ部が、容器内部で気泡シートを保持していることが好ましい。
【００１０】
更に、本発明では、（１）容器の外側方向へ開口しているベロ部の長さａ、（２）容器の内側に固定されたベロ部の長さｂ、開口部の高さ方向の長さＷ、前記気泡シートロール体の直径Ｄ、気泡シートの凸部の厚みＴとが、Ｗ＜ａ＜０．５Ｄ、Ｗ＜ｂ及び２ｔ＜Ｗ＜３ｔの条件を満足することが好ましい。
【００１１】
【発明の実施の形態】
以下、本発明の実施の形態を図面に基づいて更に詳細に説明する。
図１は、本発明の気泡シート収納容器の一例を示す概略斜視図であり、図２は、図１のＡ−Ａ断面図である。
本発明の気泡シート収納容器は、図１及び図２に示すように、所定の間隔で予めミシン目が入った、または手切れ性に優れ任意の位置でカットできるロール状に巻き取られた気泡シートロール体３０を収納する気泡シート収納容器である。
上記容器１０の主な特徴は、気泡シートロール体３０を出し入れするための開閉可能な蓋体２と、気泡シート２０を外部に引き出すための開口部１２とを備えており、開口部１２の上下にそれぞれ、（１）容器１０の外側方向へ開口しているベロ部４（開口部の上部７側）と、（２）容器１０内側に固定されたベロ部６（開口部の下部８側）とが形成されていることにある。
尚、上記容器１０の開口部１２の位置は、本体１の側面であっても、蓋体２の先端であってもよい。
例えば、図４及び図５に示すように、蓋体２の先端に設けられた場合は、蓋体２の一部で開口部１２のベロ部４を形成してもよい。
【００１２】
これにより、本発明の容器は、（１）容器１０の外側方向へ開口しているベロ部４と、（２）容器１０内側に固定されたベロ部６と、で気泡シート２０を挟み込む構造を有しているため、気泡シート２０を円滑に引き出せるとともに、気泡シート２０をミシン目で円滑に切り離すことができる（矢印▲１▼参照）だけでなく、気泡シート２０が容器１０の内部へ逆流した［巻き戻った］場合（矢印▲２▼参照）、気泡シート２０の凸部（気泡部）を（１）容器１０の外側方向へ開口しているベロ部４で引っ掛かけることにより、容器１０の内部への気泡シート２０の落ち込みを防止することができる。
【００１３】
また、本発明の容器は、図３に示すように、（１）容器１０の外側方向へ開口しているベロ部４の長さａ、（２）容器１０の内側に固定されたベロ部６の長さｂ、開口部１２の高さ方向の長さＷ、気泡シートロール体３０の直径Ｄ、気泡シート２０の凸部の厚みＴとが、Ｗ＜ａ＜０．５Ｄ、Ｗ＜ｂ及び２ｔ＜Ｗ＜３ｔの条件を満足することが重要である。
これは、ベロ部６の長さａが開口部１２の高さ方向の長さＷよりも小さい場合、気泡シート２０に引っ張られて、ベロ部６が容器１０の外部に出てしまうからである。
また、ベロ部６の長さａが０．５Ｄより大きい場合、気泡シートロール体３０が、その巻きが少なくなった時に容器１０の内部で踊ってしまい易い。
更に、開口部１２の高さ方向の長さＷが２ｔ以下である場合、容器１０の内部への気泡シート２０の落ち込みを防止することが困難である。
【００１４】
更に、本発明の容器は、（１）容器１０の外側方向へ開口しているベロ部４は、容器１０内部への異物の侵入を抑制する効果があり、また、（２）容器１０の内側に固定されたベロ部６は、容器１０の内部で気泡シート２０を保持するとともに、気泡シートロール体３０から開口部１２への気泡シート２０のガイド作用を有している。
【００１５】
このとき、本発明では、（２）容器１０の内側に固定されたベロ部６（気泡シート２０と接触するベロ部６の表面）に、気泡シート２０の巻き戻りを防止するために粘着剤が塗布されていることが好ましい。
上記粘着剤は、ベロ部６の全体に塗布しても良いが、ベロ部６の中心付近の一部でも良い。
【００１６】
本発明で用いる粘着剤は、気泡シート２０が係止でき、且つ容易に剥離できる粘着性を有するものであれば、特に限定されないが、例えば、酢酸ビニル系のホットメルト接着剤を好適に用いることができる。
【００１７】
尚、本発明の容器は、開口部１２の幅は特に限定するものではなく、気泡シート２０が通過するに十分な幅であればよく、開口部１２が大きく開いていてもよいが、異物の入り込みを少なくするには、開口部１２の幅を必要最小限にすることが好ましい。
【００１８】
また、本発明の容器は、図１に示すように、本体１の内部両端に気泡シートロール体固定用ベロ１４を設けて、気泡シートロール体３０の芯部３２を所定の位置に保持してもよいが、必須ではない（あくまで、バリエーションのひとつである）。
【００１９】
更に、本発明の容器は、ロール状に巻き取られた気泡シート、即ち、気泡シートロール体を収納できるとともに、気泡シートが出し入れ可能なものであれば、収納容器の全体的な外形形状や材質、及び収納される気泡シートの気泡（粒）の大きさや高さ等の性状で、特に限定されるものではなく、用途に応じて適宜選択することができる。
【００２０】
本発明の容器は、通常、軽量化及び汎用性に優れたプラスチック製又は紙製の段ボールから形成されていることが好ましく、また、ポリプロピレン（ＰＰ）又は高密度ポリエチレン（ＰＥ）を主原料とする気泡ボード（プラパール［登録商標］）であることが好ましい。
【００２１】
また、本発明の容器は、本体と蓋体とが、開閉自在に結合されてなることが好ましい。
これにより、本発明の容器を一枚のブランク材から作製することができるため、その構造を簡単にすることができるとともに、気泡シートロール体を容易に詰め替えることができる。
【００２２】
本発明で用いる気泡シートロール体は、所定の間隔で予めミシン目が入った、または手切れ性に優れ任意の位置でカットできるロール状に巻き取られたものであることが好ましい。
【００２３】
本発明で用いる気泡シートロール体は、例えば、図６に示すように、プラスチックフィルムに多数の凸部を設けたキャップフィルムと、平坦なバックフィルムとを貼り合わせ、凸部に空気を封入してなるプラスチック製の気泡シート２０であって、長尺のシートを巻いた形態のものであり、シートを横断するミシン目２２を所定間隔で設けたものである。
これにより、長尺の巻物の形でこれを購入した需要者が包装作業に使用するにあたり、カッターナイフなどを使用しなくても容易に一定寸法に切断することができるとともに、切り損じに起因する端材が出ないので、ゴミが散乱したりする心配もない。
【００２４】
また、上記気泡シートロール体３０は、上記ミシン目２２の位置を示す印刷２４を施したり、目印用の小紙片を貼り付けることにより、いっそう容易に切断を行うことができるため、作業性を向上することができる。
尚、印刷または小紙片の形状としては、三角形、台形、長方形など任意の図形を採用できるし、文字、数字あるいは記号を入れてもよい。色彩も、通常は１色で足りるが、２色またはそれ以上にしてもよい。
【００２５】
更に、本発明で用いる気泡シートロール体の材料としては、任意のプラスチックが使用できるが、加工性やコストなどの点で、常用のポリエチレン、ポリプロピレン、あるいはＥＶＡ（エチレン−酢酸ビニル共重合体）が好適である。
【００２６】
【発明の効果】
以上説明した通り、本発明の気泡シート収納容器は、構造が簡単であり、気泡シートを簡単、正確且つ安全に切断することができるとともに、気泡シートロール体を容易に詰め替えることができるため、経済的である。
【図面の簡単な説明】
【図１】本発明の気泡シート収納容器の一例を示す概略斜視図である。
【図２】図１のＡ−Ａ断面図である。
【図３】図２の要部拡大断面図である。
【図４】本発明の気泡シート収納容器の他の例を示す概略斜視図である。
【図５】本発明の気泡シート収納容器の更に他の例を示す概略斜視図である。
【図６】本発明で用いる気泡シートロール体の一例を示す概略斜視図である。
【符号の説明】
１…本体、
２…蓋体、
４，６…ベロ部、
７…開口部の上部、
８…開口部の下部、
１０…気泡シート収納容器（容器）、
１２…開口部、
１４…気泡シートロール体固定用ベロ、
２０…気泡シート、
２２…ミシン目、
２４…印刷、
３０…気泡シートロール体、
３２…芯部。
【図１】
2005001707.tif 000003
【図２】
2005001707.tif 000004
【図３】
2005001707.tif 000005
【図４】
2005001707.tif 000006
【図５】
2005001707.tif 000007
【図６】
2005001707.tif 000008